(57)【要約】【課題】マスク本体に耳掛け部の長さを調節できる長さ調節部材を備えて密着感と着用の便宜性を大幅に向上させたマスクを提供することを目的とする。【解決手段】本発明に係るマスクは、マスク本体、着用者の耳に掛けるように前記マスク本体の側面の左右両側に備えられる耳掛け部、および前記耳掛け部の長さを調節できる長さ調節部材を含む。【選択図】図１
2020139262.tif 000002
【特許請求の範囲】
【請求項１】
マスク本体、
着用者の耳に掛けるように前記マスク本体の側面の左右両側に備えられる耳掛け部、および
前記耳掛け部の長さを調節できる長さ調節部材
を含むマスク。
【請求項２】
前記耳掛け部は、
両末端がマスク本体の側面縁部に連結されることを特徴とする、請求項１に記載のマスク。
【請求項３】
前記長さ調節部材は、
前記マスク本体の側面縁部の一端に備えられる環部、および
前記耳掛け部の一側末端が環部内側を通過してマスク本体の側面縁部に連結される時に環部を通過して出る耳掛け部の部位からなる長さ調節部
を含んでなることを特徴とする、請求項１に記載のマスク。
【請求項４】
前記環部は、
不織布、繊維、および熱可塑性樹脂の中から選択されるいずれか１つの材質からなることを特徴とする、請求項３に記載のマスク。
【請求項５】
前記環部の内部は、
摩擦面からなることを特徴とする、請求項３に記載のマスク。
【請求項６】
前記摩擦面は、
エンボシングからなることを特徴とする、請求項５に記載のマスク。
【請求項７】
前記エンボシングは、
ピンによって圧着して構成されることを特徴とする、請求項６に記載のマスク。
【請求項８】
前記耳掛け部は、
弾性糸からなることを特徴とする、請求項１に記載のマスク。
【請求項９】
前記耳掛け部は、
１つに連結された環状のものであり、一端がマスク本体の側面縁部に連結されることを特徴とする、請求項１に記載のマスク。
【発明の詳細な説明】
【技術分野】
【０００１】
本発明は、マスク本体に耳掛け部の長さを調節できる長さ調節部材を備えて密着感と着用の便宜性を大幅に向上させたマスクに関する。
【背景技術】
【０００２】
近年、国内で発生する粉塵と共に中国の産業化に応じた化石燃料の燃焼増加によって国内に流入する粉塵が増えている。粉塵は多量の有毒性化合物と重金属を含んでおり、人が吸入する時に心発作、喘息、気管支炎、肺炎、肺ガンなどの疾病を招くと知られている。ある研究によれば、首都圏だけで粉塵によって年間２万余りの人の早期死亡と肺関連の疾患が発生すると報告されている。このような粉塵の人体への流入を遮断するための方法としてマスクの着用がある。
【０００３】
マスクは、着用者の鼻と口の周辺部を覆う本体部と耳掛け部と鼻部分に外部空気が流入するのを防止する鼻部とからなる。粉塵を遮断するためのマスクの本体部は粉塵を遮断できる静電フィルタを含むことができる。耳掛け部は弾性糸を適用するのが一般的であり、着用者に便宜性を提供するために長さ調節部を含むことができる。鼻部は一般的に合成樹脂が被覆された鉄心やアルミニウムを用い、より密着感を向上させるために内面にスポンジ（ｓｐｏｎｇｅ）を適用することができる。従来のマスクは、マスク着用者が呼吸時にマスク外の部分に漏れが発生しないように密着を維持するために耳掛け部の弾性糸を小さくして伸び率が増加することにより、耳に掛けた場合、本体が弾性が復元される性質によって顔面部に密着するようにするのが一般的である。
【０００４】
しかし、マスク着用者の顔大きさは非常に様々であり、弾性糸が小さい場合、耳掛け紐にかかった高い張力によってマスク着用時に耳痛みや窮屈さを感じることがある。また、小さい顔を持った着用者がマスクを着用する場合には緩んで顔面部に密着しないために粉塵に露出しうる。このような問題点を解決するためにストッパー、紐締めからなる長さ調整装置を別途に備えたマスクが発売されたことがある。
【発明の概要】
【発明が解決しようとする課題】
【０００５】
前述した問題を解決するために、本発明の実施形態は、マスク本体に耳掛け部の長さを調節できる長さ調節部材を備えて密着感と着用の便宜性を大幅に向上させたマスクを提供する。
【課題を解決するための手段】
【０００６】
前述した目的を成し遂げるために、本発明の実施形態によるマスクは、マスク本体、着用者の耳に掛けるように前記マスク本体の側面の左右両側に備えられる耳掛け部、および前記耳掛け部の長さを調節できる長さ調節部材を含んでもよい。
【０００７】
また、前記耳掛け部は、両末端がマスク本体の側面縁部に連結されてもよい。
【０００８】
なお、前記長さ調節部材は、前記マスク本体の側面縁部の一端に備えられる環部、および前記耳掛け部の一側末端が環部内側を通過してマスク本体の側面縁部に連結される時に環部を通過して出る耳掛け部の部位からなる長さ調節部を含んでもよい。
【０００９】
さらに、前記環部は、不織布、繊維、および熱可塑性樹脂の中から選択されるいずれか１つの材質からなってもよい。
【００１０】
また、前記環部の内部は摩擦面からなってもよい。
【００１１】
なお、前記摩擦面はエンボシングからなってもよい。
【００１２】
さらに、前記エンボシングはピンによって圧着して構成されてもよい。
【００１３】
また、前記耳掛け部は弾性糸からなってもよい。
【００１４】
なお、前記耳掛け部は１つに連結された環状のものであり、一端がマスク本体の側面縁部に連結されてもよい。
【発明の効果】
【００１５】
本発明の実施形態によるマスクによれば、マスク本体に耳掛け部の長さを調節できる長さ調節部材を備えて密着感と着用の便宜性を大幅に向上させることができる。
【００１６】
また、片手だけで耳掛け部の長さ調節が可能である。
【００１７】
なお、別の耳掛け部の長さ調節のための別途手段を備えなくてもよいため、別途手段の製作に応じたマスク製作単価の上昇問題を解決することができる。
【図面の簡単な説明】
【００１８】
【図１】本発明の好ましい第１実施形態による構成図である。
【図２】本発明の好ましい第２実施形態による構成図である。
【図３】本発明の好ましい第３実施形態による構成図である。
【図４】本発明の好ましい第４実施形態による構成図である。
【図５】本発明の好ましい第５実施形態による構成図である。
【発明を実施するための形態】
【００１９】
以下、本発明の好ましい実施形態を添付図面を参照して詳細に説明する。先ず、各図面の構成要素に参照符号を付する際、同一の構成要素に対しては、たとえ他の図面上に表示されるとしても同一の符号を付することに留意しなければならない。また、以下では本発明の好ましい実施形態を説明するが、本発明の技術的思想はそれに限定または制限されす、当業者によって変形されて多様に実施できることは勿論である。
【００２０】
先ず、本発明の実施形態によるマスクの構成を説明する。
【００２１】
本発明の実施形態によるマスクは、マスク本体１０の左、右側の耳掛け部３０の長さを調節できる長さ調節部材２０を有することによって、マスク着用後に簡単に耳掛け部３０の長さ調節が可能である。また、本発明の実施形態によるマスクは、従来マスクの耳掛け部３０の長さ調節のための別途の手段を製作しないため、生産が非常に容易である。また、本発明の実施形態によるマスクは耳掛け部３０の長さ調節を片手で容易に操作することができる。また、本発明の実施形態によるマスクは、マスク着用中に耳掛け部３０の長さ調節力と環部２２との摩擦力によって環状の耳掛け部３０が切れることはない。
【００２２】
図１は本発明の好ましい第１実施形態による構成図である。図１を参照すれば、本発明の第１実施形態によるマスクは、着用者の顔に密着するマスク本体１０、マスク本体１０の両側面に対称に備えられる耳掛け部３０、および耳掛け部３０の長さを調節する長さ調節部材２０を含む。
【００２３】
具体的に、マスク本体１０は着用者の顔に密着できるように着用者の顔に符合する。マスク本体１０は不織布から製造されることができる。マスク本体１０は着用者の呼吸器である鼻と口を覆うことができる。マスク本体１０は着用者の鼻部位に密着する鼻部１１が備えられる。
【００２４】
マスク本体１０は外皮不織布、内皮不織布、およびフィルタ部を含む。外皮不織布および内皮不織布はポリプロピレン、ポリエチレン、ポリオレフィン、ポリエチレンテレフタレート、ナイロンなどの熱可塑性樹脂などの材質であってもよい。フィルタ部は静電機能が与えられたメルトブローフィルタやナノ繊維が適用されたナノフィルタなどからなって粉塵を遮断することができる。
【００２５】
鼻部１１は、アルミニウム、鉄心、合成樹脂で被覆された鉄心、スポンジのうち少なくとも１つ以上であってもよい。
【００２６】
マスク本体１０の左右の両側面には着用者の両耳に掛けられる耳掛け部３０が備えられる。耳掛け部３０はポリウレタン、ナイロン、ゴムなどからなり、弾性を有する弾性糸（ｔｈｒｅａｄ）であってもよい。勿論、耳掛け部３０は着用者の両耳に掛けるようにマスク本体１０の左右に対称に構成される。耳掛け部３０は着用者の耳に掛けることのできる環状に構成される。
【００２７】
長さ調節部材２０は環部２２と長さ調節部２１とから構成される。具体的に、環部２２はマスク本体１０の側面縁部の一端に様々な形態で備えられることができる。環部２２は耳掛け部３０の一側末端が通過できるように中が空いた円筒であってもよい。
【００２８】
長さ調節部２１は、耳掛け部３０の一側末端がマスク本体１０の側面縁部に固定された状態で、耳掛け部３０の他側末端を環部２２の下部の内部に嵌め込んで環部２２の上部を通して外部に取り出した後、マスク本体１０の側面縁部に連結した時に環部２２を通過して環部２２内部から引き出される耳掛け部３０の部位である。
【００２９】
したがって、耳掛け部３０を着用者の耳に掛けた状態で長さ調節部２１を引っ張れば、環部２２を通過して引き出される長さ調節部２１の長さだけ耳掛け部３０の長さが減り、長さ調節部２１の長さが着用者の耳に合うように調節される。
【００３０】
図２は本発明の好ましい第２実施形態による構成図である。図２を参照すれば、耳掛け部３０の両末端は付着部材３１によってマスク本体１０の側面縁部に付着できる。例えば、付着部材３１は超音波溶着によって耳掛け部３０の両末端をマスク本体１０に付着することができる。このように、付着部材３１は耳掛け部３０の両末端をマスク本体１０に堅固に固定する役割をする。勿論、付着部材３１なしに耳掛け部３０の両末端をマスク本体１０に直ちに付着することもできる。また、様々な形態によってマスク本体１０に付着されることができる。環部２２はマスク本体１０の側面縁部に直ちに付着されるか、固定部材２３によって付着されることができる。また、環部２２はマスク本体１０と一体型であってもよい。
【００３１】
このように、本発明の第２実施形態は、付着部材３１を介して耳掛け部３０をマスク本体１０に固定することで、着用者が長さ調節部２１を引っ張ることによって着用者の顔に合うように長さを調節しても力が分散して、従来のマスクのように着用中に耳掛け部３０が切れて着用者の顔が粉塵に露出されるなどの問題が発生しない。
【００３２】
図３は本発明の好ましい第３実施形態による構成図である。図３を参照すれば、環部２２は、マスク本体１０の側面末端から延びたマスク本体１０の材質と同一の不織布であってもよい。環部２２がマスク本体１０と同一の不織布の材質である場合、マスクを拒否感なしで着用することができる。そして、環部２２が不織布である場合、長さ調節部２１を引っ張って耳掛け部３０の長さを着用者の耳に合うように調節した後にも、不織布自らの摩擦によって長さ調節部２１が滑らず、耳掛け部３０の長さが調節されたその状態をその通りに維持することができる。
【００３３】
このように、本発明の第３実施形態は、マスク本体１０から延びた不織布からなる環部２２を有するため、別途の耳掛け部３０の長さ調節装置の提供がなくても簡単に耳掛け部３０の長さ調節が可能である。
【００３４】
図４は本発明の好ましい第４実施形態による構成図である。図４を参照すれば、耳掛け部３０の一側末端が通過する環部２２の内部は摩擦面２２１で構成されることができる。例えば、摩擦面２２１はエンボシングであってもよい。エンボシングは様々な形態のピンによって圧着して構成されることができる。このようなエンボシング摩擦面２２１は耳掛け部３０との摩擦力を増加させ、長さ調節部２１の弾性糸が着用後に長さ調節で滑らないようにすることができる。マスク本体１０に用いられる不織布の内皮と外皮は熱可塑性繊維からなる素材であってもよい。
【００３５】
図５は本発明の好ましい第５実施形態による構成図である。図４のように耳掛け部３０は１つに連結された環状のものであり、一端がマスク本体１０の側面縁部に連結される構造であってもよい。耳掛け部３０の一端は付着部材によってマスク本体１０に連結されるかまたは直ちに連結されることができる。
【００３６】
次は本発明の実施形態によるマスクの作用を説明する。
【００３７】
着用者の片耳に一側の耳掛け部３０を掛け、着用者の反対側の耳に他側の耳掛け部３０を掛けてマスクを着用する。その次、片手で左右対称に構成された長さ調節部２１を引っ張って耳掛け部３０の長さを着用者の耳に合うように調節する。
【００３８】
この時、引っ張られた長さ調節部２１は環部２２内部の摩擦力によって引っ張られた緊張状態をその通りに維持するため、耳掛け部３０が緩む心配は全くない。また、長さ調節部２１を引っ張れば、耳掛け部３０の長さ調節時に耳掛け部３０に直ちに力が加えられず、耳掛け部３０が環部２２を通過しつつ耳掛け部３０に加えられる力が分散するため、耳掛け部３０が切れるという問題を防止することができる。
【００３９】
前述したように本発明の実施形態によるマスクは、片手だけで耳掛け部の長さ調節が可能であるため、従来のように耳掛け部にストッパーや紐締めなどの別途の装置が備えられたマスクを着用した後には耳掛け部の長さ調節時に片手だけで耳掛け部の長さ調節が不可能で両手を使って長さを調節しなければならないという煩わしさを解消することができる。
【００４０】
また、本発明の実施形態によるマスクは、別途の耳掛け部調節装置を製作するためにマスク製造時にストッパー、紐締めなどの副資材を別途に製作しなくてもよいという長所がある。
【００４１】
なお、従来のマスクは、耳掛け部の長さを調節できる別途の装置を製作しなければならないため、使い捨て不織布の製造時に製作単価の上昇問題で実質的に適用し難いという問題点があったが、本発明の実施形態によるマスクは、別途の装置を製作しないため、このような問題を解決することができる。
【００４２】
さらに、従来のマスクは、マスク製造前に作られた環をマスク本体の両側面に形成された長さ調節部に掛ける場合、環内の耳掛け紐の接着面積が小さく、長さ調節時に弾性糸にかかる力の分散が小さいため、長さ調節時に引っ張る力とマスク側面に形成された環との摩擦力によって耳掛け紐が切れる場合が頻繁に生じたが、本発明の実施形態によるマスクは、このような問題を解消することができる。
【００４３】
したがって、本発明の実施形態によるマスクは、別途の長さ調節装置なしでマスク本体の両側に備えられた長さ調節部を引っ張るだけで耳掛け部の長さ調節が可能であり、片手だけで容易に長さ調節部を引っ張って耳掛け部の長さを調節できる、密着力に優れ且つ着用が便利なマスクを提供することができる。
【００４４】
以上の説明は本発明の技術思想を例示的に説明したものに過ぎず、本発明が属する技術分野で通常の知識を有した者であれば、本発明の本質的な特性から逸脱しない範囲内で様々な修正、変更および置き換えが可能である。よって、本発明に開示された実施形態および添付された図面は本発明の技術思想を限定するためのものではなく説明するためのものであり、このような実施形態および添付された図面によって本発明の技術思想の範囲が限定されるものではない。本発明の保護範囲は以下の請求範囲によって解釈しなければならず、それと同等な範囲内にある全ての技術思想は本発明の権利範囲に含まれると解釈しなければならない。
【符号の説明】
【００４５】
１０  ・・・マスク本体
１１  ・・・鼻部
２０  ・・・長さ調節部材
２１  ・・・長さ調節部
２２  ・・・環部
２３  ・・・固定部材
３０  ・・・耳掛け部
３１  ・・・付着部材
２２１  ・・・摩擦面
【図１】
2020139262.tif 000003
【図２】
2020139262.tif 000004
【図３】
2020139262.tif 000005
【図４】
2020139262.tif 000006
【図５】
2020139262.tif 000007
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
マスク本体、
着用者の耳に掛けるように前記マスク本体の側面の左右両側に備えられる耳掛け部、および
前記耳掛け部のうち、前記着用者の耳に掛ける部位の長さを調節できる長さ調節部材を含み、
前記長さ調節部材は、
前記マスク本体の側面縁部の一端に備えられ、
円筒状の環部、および
一側末端と前記環部内側を通過する他側末端が前記マスク本体の側面縁部に固定される耳掛け部の一部であって、
前記環部と前記耳掛け部の他側末端との間に位置し、外部に露出する部分である長さ調節部を含み、
前記一側末端と前記他側末端は、マスク本体に超音波溶着によって固定されるマスク。
【請求項２】
前記長さ調節部は、
前記耳掛け部のうち、着用者の耳に掛ける部位の長さを調節するために、引っ張るものであり、
前記耳掛け部の他側末端は、上下方向に一側末端と環部との間にマスク本体に固定されることを特徴とする、請求項１に記載のマスク。
【請求項３】
前記環部の内部は、摩擦面が前記環部の長さ方向に沿って形成されることを特徴とする、請求項１又は２に記載のマスク。
【請求項４】
前記耳掛け部は、
両末端が互いに離間した位置でマスク本体の側面縁部に固定されることを特徴とする、請求項１から３のいずれか一項に記載のマスク。
【請求項５】
前記摩擦面は、
エンボシングからなることを特徴とする、請求項３に記載のマスク。
【請求項６】
前記エンボシングは、
ピンによって圧着して構成されることを特徴とする、請求項５に記載のマスク。
【請求項７】
前記耳掛け部は、
弾性糸からなることを特徴とする、請求項１から６のいずれか一項に記載のマスク。
【請求項８】
前記耳掛け部は、
１つに連結された環状のものであり、一端がマスク本体の側面縁部に連結されることを特徴とする、請求項１から７のいずれか一項に記載のマスク。
【請求項９】
前記環部は、前記マスク本体と同一の材質で形成されることを特徴とする、請求項１から８のいずれか一項に記載のマスク。
【請求項１０】
前記環部は、
不織布、繊維、および熱可塑性樹脂の中から選択されるいずれか１つの材質からなることを特徴とする、請求項１から９のいずれか一項に記載のマスク。
【外国語明細書】
2020139262000001.pdf